(57)【要約】【課題】例えば、インパクトドライバと称されるねじ締め機等の電動工具では、使用者が把持するグリップ部が設けられている。グリップ部内部は、起動用のスイッチの他、電気配線が配線されるが工具本体部に比して比較的大きな空きスペースが存在する。本発明は、この空きスペースを利用して電動工具の操作性、作業性を高めることを目的とする。【解決手段】グリップ部５０内部の空きスペースＳに、工具本体部１０で発生する振動とは逆位相の振動を発生させる振動発生器７１を収容して、全体として振動を抑制する。振動発生器７１に代えて、冷却ファン、発信器（ＧＰＳ）、ＩＣタグ等の各種の電材部品７０を収容して当該電動工具１の機能を高めることができる。【選択図】図１
2017159431.tif 000002
【特許請求の範囲】
【請求項１】
駆動源としての電動モータを内装した工具本体部と、該工具本体部から延びるグリップ部を備えた電動工具であって、
前記グリップ部には、使用者により操作されるスイッチと、該スイッチの電気信号を送信するための信号線と前記工具本体部に電源を供給するための電源線を含む電気配線と、が収容されており、
前記スイッチと前記電気配線に加えて、前記工具本体部の機能とは独立した付随的機能を有する電材部品を当該グリップ部の内部空間に収容した電動工具。
【請求項２】
請求項１記載の電動工具であって、前記電材部品として、前記工具本体部で発生する振動とは逆位相の振動を発生させる振動発生器を収容した電動工具。
【請求項３】
請求項２記載の電動工具であって、前記振動発生器は、前記電動モータとは別に独自の駆動源を有する構成とした電動工具。
【請求項４】
請求項３記載の電動工具であって、前記振動発生器は、前記独自の駆動源により変位する重りを有する構成とした電動工具。
【請求項５】
請求項１記載の電動工具であって、前記電材部品としてファンを収容した電動工具。
【請求項６】
請求項５記載の電動工具であって、前記工具本体部に前記電動モータを冷却するための第１冷却ファンを備えており、該第１冷却ファンとは別に前記電材部品として第２冷却ファンを収容した電動工具。
【請求項７】
請求項６記載の電動工具であって、前記第２冷却ファンは、前記第１冷却ファンとは独立して動作する構成とした電動工具。
【請求項８】
請求項１記載の電動工具であって、前記電材部品として、盗難防止用の発信器を収容した電動工具。
【請求項９】
請求項１記載の電動工具であって、前記電材部品として、専用の読み取り器で読み取り可能な情報を記憶するためのＩＣタグを収容した電動工具。
【発明の詳細な説明】
【技術分野】
【０００１】
この発明は、例えばねじ締め作業に用いるねじ締め機等の電動工具に関する。
【背景技術】
【０００２】
下記の特許文献１には、例えば建築現場等で用いる手持ち式のねじ締め機に関する技術が開示されている。この種の電動工具は、駆動源としての電動モータを内装した工具本体部と、使用者が把持するグリップ部と、グリップ部の先端部に設けられた電源部を備えている。グリップ部は、工具本体部の側部から側方へ突き出す状態に設けられている。電源部は、工具本体部に電源を供給する部位で、電源を交流電源とする場合には商用の１００Ｖ交流電源を供給するための電源コードが接続される。電源を直流電源とする場合には、電源部に例えば１４．４Ｖのリチウムイオンバッテリが取り付けられる。電源部の電力は、グリップ部内を配線した電源線により工具本体部に供給される。グリップ部には、使用者が把持した手の指先で引き操作するトリガ形式のスイッチレバーと、このスイッチレバーの引き操作によりオンするスイッチが組み込まれている。スイッチレバーのオン操作によりこのスイッチがオンすると電動モータが起動してねじ締め作業を行うことができる。
【先行技術文献】
【特許文献】
【０００３】
【特許文献１】特開２０１２−２３９３８０号公報
【発明の概要】
【発明が解決しようとする課題】
【０００４】
使用者が把持するグリップ部は、その把持性を確保する必要上、適切な長さと太さで設けられる。一方、このグリップ部内は、上記したように電源線が配線されるほか、スイッチレバーとスイッチが組み込まれる他は、工具本体部のような機構部品等は組み込まれていないため、比較的大きな空きスペースが存在している。
【０００５】
本発明は、係るグリップ部の内部には、例えば工具本体部に比して比較的大きな空きスペースが存在することに着目してなされたもので、係る空きスペースを有効活用して電動工具の操作性や作業性等を高めることを目的とする。
【課題を解決するための手段】
【０００６】
上記の課題は、以下の各発明により解決される。第１の発明は、駆動源としての電動モータを内装した工具本体部と、工具本体部から延びるグリップ部を備えた電動工具である。第１の発明では、グリップ部には、使用者により操作されるスイッチと、スイッチの電気信号を送信するための信号線と工具本体部に電源を供給するための電源線を含む電気配線とが収容されている。第１の発明では、スイッチと電気配線に加えて、工具本体部の機能とは独立した付随的機能を有する電材部品を当該グリップ部の内部空間に収容した構成を備えている。
【０００７】
第１の発明によれば、スイッチと電気配線に加えて、付随的機能を有する電材部品が収容されることによりグリップ部の内部空間が有効活用されるとともに、当該電材部品の独立した付随的機能により電動工具の操作性や作業性を高めることができる。この明細書において、「付随的機能」とは、工具本体部の本来の機能に付随する機能であって、当該付随的機能を省略したとしても、工具本体部の本来の機能を発揮させることができる付加的な機能と定義して用いる。
【０００８】
第２の発明は、第１の発明において、電材部品として、工具本体部で発生する振動とは逆位相の振動を発生させる振動発生器を収容した電動工具である。
【０００９】
第２の発明によれば、振動発生器が内装されることによりグリップ部の内部空間が有効活用される。この振動発生器によれば、工具本体部で発生する振動が、当該振動発生器が発生する逆位相の振動により打ち消されて当該電動工具の振動を抑制することができ、ひいては当該電動工具の操作性及び作業性を高めることができる。
【００１０】
第３の発明は、第２の発明において、振動発生器は、電動モータとは別に独自の駆動源を有する構成とした電動工具である。
【００１１】
第３の発明によれば、振動発生器が工具本体部の電動モータとは独立して作動する。これにより、振動発生器が発生する逆位相の振動により、例えば当該電動工具の動作状態あるいは電源の電力供給状態等の情報を報知する報知手段として付随的に機能させることができる。
【００１２】
第４の発明は、第３の発明において、振動発生器は、独自の駆動源により回転する重りを有する構成とした電動工具である。
【００１３】
第４の発明によれば、振動発生器は、独自の駆動源により重りを回転させて工具本体部の振動とは逆位相の振動を発生させるカウンタウエイトとして付随的に機能させることができる。
【００１４】
第５の発明は、第１の発明において、電材部品としてファンを収容した電動工具である。
【００１５】
第５の発明によれば、ファンが内装されることによりグリップ部の内部空間が有効活用される。
【００１６】
第６の発明は、第５の発明において、工具本体部に電動モータを冷却するための第１冷却ファンを備えており、第１冷却ファンとは別に電材部品として第２冷却ファンを収容した電動工具である。
【００１７】
第６の発明によれば、第２冷却ファンによりグリップ部の内部空間が有効活用される。第２冷却ファンによりグリップ部の内部空間及び当該内部空間に配置した電材部品等の冷却がなされる。
【００１８】
第７の発明は、第６の発明において、第２冷却ファンは、第１冷却ファンとは独立して動作する構成とした電動工具である。
【００１９】
第７の発明によれば、電動モータの停止状態において、第２冷却ファンを回転させることにより独自の冷却機能（付随的機能）を持たせることができる。逆に、電動モータの起動時に第２冷却ファンを停止させることにより、当該電動工具の振動を抑制し、また電力消費を低減することができる。
【００２０】
第８の発明は、第１の発明において、電材部品として、盗難防止用の発信器を収容した電動工具である。
【００２１】
第８の発明によれば、盗難防止用の発信器が収容されることによりグリップ部の内部空間が有効活用される。盗難防止用の発信器として、ＧＰＳ(Global Positioning System:全地球測位システム)を用いることができる。電材部品としての発信器(ＧＰＳ)により当該電動工具の位置を容易に特定することができる。これにより当該電動工具の盗難を未然に防止することができ、盗難後に当該電動工具を容易に発見することができる。
【００２２】
第９の発明は、第１の発明において、電材部品として、専用の読み取り器で読み取り可能な情報を記憶するためのＩＣタグを収容した電動工具である。
【００２３】
第９の発明によれば、ＩＣタグが収容されることによりグリップ部の内部空間が有効活用される。ＩＣタグには、当該電動工具の仕様、使用履歴、修理履歴等の固体情報に加えて、使用者の個人情報等の各種の情報を記憶しておくことができる。
【図面の簡単な説明】
【００２４】
【図１】本発明の第１実施形態に係る電動工具の全体側面図である。本図は、半割り構造のハウジングの片側を取り外して内部構造が見える状態で示されている。
【図２】図１中(II)部の拡大図である。
【図３】図２中(III)-(III)線断面矢視図である。
【図４】本発明の第２実施形態に係る電動工具の全体側面図である。本図は、半割り構造のハウジングの片側を取り外して内部構造が見える状態で示されている。
【図５】図４中(V)部の拡大図である。
【図６】図５中(VI)-(VI)線断面矢視図である。
【図７】本発明の第３実施形態に係る電動工具の全体側面図である。本図は、半割り構造のハウジングの片側を取り外して内部構造が見える状態で示されている。
【図８】図７中(VIII)部拡大図である。
【図９】図８中(IX)-(IX)線断面矢視図である。
【図１０】本発明の第４実施形態に係る電動工具の全体側面図である。本図は、半割り構造のハウジングの片側を取り外して内部構造が見える状態で示されている。
【図１１】図１０中(XI)部拡大図である。
【図１２】図１１中(XII)-(XII)線断面矢視図である。
【発明を実施するための形態】
【００２５】
次に、本発明の実施形態を図１〜図１２に基づいて説明する。図１は第１実施形態に係る電動工具１を示し、図４は第２実施形態に係る電動工具２を示し、図７は第３実施形態に係る電動工具３を示し、図１０は第４実施形態に係る電動工具４をそれぞれ示している。各実施形態では、電動工具１〜４の一例として、いわゆるインパクト式のねじ締め機（インパクトドライバ）が示されている。各実施形態の電動工具１〜４の基本的な構成は同じであるので、第１実施形態についてのみ説明し、第２〜第４実施形態について変更を要しない部材及び構成については同位の符号を用いてその説明を省略する。また、電動工具１〜４の前後方向については、出力側（先端工具側）を前側とし、使用者から見て手前側を後ろ側とする。また、左右方向についてはグリップ部を把持した使用者を基準にして用いる。
【００２６】
第１実施形態の電動工具１は、工具本体部１０と、工具本体部１０の下面から下方へ突き出す状態に設けられたグリップ部５０を備えている。使用者は主としてこのグリップ部５０を片手で把持して当該電工具１を用いることができる。グリップ部５０の詳細については後述する。
【００２７】
工具本体部１０は、概ね円筒形の本体部ハウジング１１を備えている。本体部ハウジング１１の前部には、インパクトケース１２が結合されている。本体部ハウジング１１の後面側は、後部ケース１３により閉塞されている。
【００２８】
工具本体部１０には、その後ろ側から順番に電動モータ２０、遊星歯車機構３０、駆動軸３１、回転打撃機構３２、及びアンビル３３が同軸に収納されている。電動モータ２０の回転出力が遊星歯車機構３０で減速された後、回転打撃機構３２を経てアンビル３３に伝達される。駆動軸３１は、遊星歯車機構３０のキャリア（出力側）に一体かつ同軸に設けられている。
【００２９】
回転打撃機構３２は、駆動軸３１の回転をアンビル３３に対する回転打撃動作に変換する機能を有するもので、駆動軸３１に対して同軸で回転可能かつ軸方向移動可能に支持されたハンマー３２ａと、このハンマー３２ａを先端側に付勢する圧縮ばね３２ｂと、ハンマー３２ａの軸方向移動と回転動作を規制する鋼球３２ｃを備えている。
【００３０】
アンビル３３は、駆動軸３１の先端に同軸で相対回転可能に支持されている。アンビル３３には、出力軸３６が同軸かつ一体に設けられている。出力軸３６は、軸受３４を介してインパクトケース１２に対して軸回りに回転自在に支持されている。
【００３１】
ねじ締め開始後、ねじ締め負荷が小さい段階では、アンビル３３は回転打撃機構３２を介して駆動軸３１と一体でねじ締め方向へ回転する。ねじ締めが進行してねじ締め負荷が駆動軸３１に伝達される回転力に勝ると、ハンマー３２ａが圧縮バネ３２ｂに抗して駆動軸３１に対して相対回転しつつ軸方向に後退する。ハンマー３２ａが圧縮ばね３２ｂに抗して後退するとアンビル３３に対する係合状態が外れる。このため、ハンマー３２ａが圧縮ばね３２ｂの付勢力によって前進しつつ回転してアンビル３３をねじ締め方向に打撃する。インパクトケース１２の前部から突き出された出力軸３６の先端部には、ドライバビットやソケットビット等の先端工具４０を装着するための工具保持部３５が設けられている。
【００３２】
電動モータ２０はＤＣブラシレスモータで、本体部ハウジング１１の内側に固定された固定子２１と、固定子２１の内周側にモータ軸２４を介して回転自在に支持された回転子２２を備えている。モータ軸２４は、前後二つの軸受２５，２６を介してその軸線周りに回転自在に支持されている。前側の軸受２５は、本体部ハウジング１１内を前後に区画する中間区画壁２７に保持されている。この中間区画壁２７によって当該本体部ハウジング１１内が電動モータ２０側（後ろ側）と回転打撃機構３２側（前側）に区画されている。後ろ側の軸受２６は、後部ケース１３の内面側に保持されている。後ろ側の軸受２６と回転子２２との間においてモータ軸２４上には冷却ファン２８が取り付けられている。冷却ファン２８にはいわゆる遠心ファンが用いられている。固定子２１の前側には、回転子２２の回転位置を検出するための磁気センサを有するセンサ基板２３が配置されている。センサ基板２３は概ね円板形を有しており、固定子２１の前端面に対向する状態で配置されている。
【００３３】
工具本体部１０の前部には、暗所等での作業の便宜を図るための照明具１４が装備されている。照明具１４には、ＬＥＤ（発光ダイオード）が用いられている。照明具１４は透明カバー１４ａで覆われている。
【００３４】
工具本体部１０の下面側であってグリップ部５０の基部には、出力軸３６の回転方向を切り換えるための切り替えスイッチ１５が配置されている。この切り替えスイッチ１５を左右に切り換えることにより、出力軸３６をねじ締め方向またはねじ緩め方向に回転させることができる。
【００３５】
グリップ部５０は、使用者が当該電動工具１を使用する際に把持する部分であり、その前面上部には使用者が指先で引き操作するトリガ形式のスイッチレバー５１が設けられている。このスイッチレバー５１を引き操作するとグリップ部５０内に収容したスイッチ５２がオンして駆動源としての電動モータ２０が起動する。
【００３６】
グリップ部５０の下部には、電源部６０が設けられている。電源部６０は、グリップ部ハウジング５５の下部から前方へ張り出すほぼ平板形状の電源部ハウジング６５を有している。電源部６０の下面側に電源としてのバッテリパック６１が取り付けられている。電源部ハウジング６５内には、平板形状のコントローラ６２が張り出し方向（前後方向）に沿って収容されている。このコントローラ６２は、モータ制御回路や電源回路等を含む制御基板６２ａを矩形底浅のケース６２ｂに収容した構成を備えている。制御基板６２ａの上面にはコンデンサ６２ｃが搭載されている。制御基板６２ａは樹脂モールドされて絶縁された状態でケース６２ｂに収容されている。
【００３７】
コントローラ６２の下面側には、バッテリパック６１を電気的に接続するための正負の接続端子が装備されている。正負の接続端子に結線された２本の電源線（電気配線Ｃ）は、上方へ引き出されてグリップ部５０内を配線されており、最終的に電動モータ２０のセンサ基板２３に結線されている。センサ基板２３の下部は、固定子２１よりも外周側へ張り出しており、この張り出し部分に２本の電源線が結線されている。
【００３８】
電源部６０の下面に対してバッテリパック６１を前側から後ろ側へスライドさせることにより当該バッテリパック６１を電源部６０に取り付けることができる。バッテリパック６１は、例えば出力電圧１４．４Ｖ仕様のリチウムイオンバッテリで、取り外して別途用意した充電器で充電することにより繰り返し使用することができる。
【００３９】
電源部ハウジング６５の上面には、バッテリパック６１の残容量や工具本体部１０の動作状態を表示するための表示部６３が設けられている。この表示部６３には、各種表示の他、照明具１４のオンオフ状態を切り換える照明スイッチや動作モードを切り換えるためのモード切替スイッチが配置されており、操作パネルとしても機能する。
【００４０】
電源部ハウジング６５の後部には、ループ形のハンドストラップ６４が取り付けられている。ハンドストラップ６４は、左右半割りハウジングＨを相互に結合するねじ４１のねじボス部を利用して取り付けられている。このハンドストラップ６４に手首を通しておくことにより、当該電動工具１を誤って落下させてしまうことが防止される。
【００４１】
工具本体部１０の本体部ハウジング１１と、グリップ部５０のグリップ部ハウジング５５と、電源部６０の電源部ハウジング６５は、左右の半割りハウジングを相互に結合して一体化した左右半割り構造の全体ハウジングＨの一部として成形されている。半割り構造の合わせ面は、電動モータ２０の出力軸線（モータ軸２４の軸線方向）に沿っている。全体ハウジングＨの半割り構造は、合計８本のねじ４１で相互に結合されている。全体ハウジングＨの外面であって、本体部ハウジング１１とグリップ部ハウジング５５と電源部ハウジング６５の各外面及び後部ケース１３の外面には、主として滑り止めや衝撃吸収を目的として弾性樹脂層ｈが被覆されている。弾性樹脂層ｈは、使用者の手が当てられる範囲、落下時に衝突しやすい角部等に被覆されている。弾性樹脂層ｈは、全体ハウジングＨよりも弾性が大きいエラストマ樹脂を素材として外面に被覆成形されている。
【００４２】
グリップ部５０の内部には、前記スイッチ５２が収容されている他、電源線や信号線等の電気配線Ｃが収容されている。コントローラ６２から電動モータ２０のセンサ基板２３に配線された主電源線及び信号線、表示部６３の照明スイッチから照明具１４に配線された照明用電源線は、グリップ部５０の内部を配線されている。また、コントローラ６２からスイッチ５２に配線された信号線もグリップ部５０の内部を配線されている。このように、使用者が把持するために最適な長さ及び太さを有するグリップ部５０の内部には、スイッチ５２の他、各種の電気配線Ｃが配線されているが、比較的大きな空きスペースＳ（内部空間部）が存在している。
【００４３】
図２及び図３に示すようにこの空きスペースＳには、電材部品７０が収容されている。この電材部品７０は、バッテリパック６１と電気的に接続されている。つまり、以下に説明する振動発生器７１、冷却ファン７２、発信器７３、ＩＣタグ７４にはバッテリパック６１から、リード線を介して電源が供給される。第１実施形態では、電材部品７０として振動発生器７１が収容されている。この振動発生器７１は、工具本体部１０で発生する振動とは逆位相の振動を発生させる付随的機能を有している。振動発生器７１には、電動モータ２０とは別の駆動源により回転する重り７１ａを有するカウンターウエイトが用いられている。この振動発生器７１は、上記別の駆動源として小型の駆動モータ７１ｂを有している。振動発生器７１は、グリップ部ハウジング５５の内面に一体に設けた保持部５５ａに弾性的に嵌め込まれて保持されている。
【００４４】
振動発生器７１は、主として電動モータ２０の起動時に動作して一定振動数の振動を発生する。振動発生器７１の動作状態はコントローラ６２により適切に制御される。
【００４５】
以上のように構成した第１実施形態の電動工具１によれば、グリップ部５０内部の空きスペースＳに電材部品７０として振動発生器７１が収容されて、当該空きスペースＳが有効に活用されている。この振動発生器７１により、工具本体部１０で発生する振動とは逆位相の振動が発生する。この振動発生器７１により発生する逆位相の振動により、工具本体部１０の振動が打ち消しあうことで、当該電動工具１の振動が低減され、これにより当該電動工具１の操作性及び作業性が高められる。第１実施形態では、電材部品７０として回転する重り７１ａを有するカウンターウエイトを例示したが、重りを回動（回転方向に往復動）させ、あるいは並進（直線移動）させて逆位相の振動を発生させるカウンターウエイトを用いる構成としてもよい。
【００４６】
図４〜図６には、第２実施形態の電動工具２が示されている。第２実施形態の電動工具２は、グリップ部５０の空きスペースＳに収容した電材部品７０が冷却ファン７２である点で第１実施形態とは異なっている。冷却ファン７２は、工具本体部１０の冷却ファン２８（第１ファン）とは別の駆動源により回転する。第２ファンとしての冷却ファン７２は、小型の駆動モータ７２ａを駆動源として備えている。冷却ファン７２は、グリップ部ハウジング５５の内面に一体に設けた保持部５５ｂに弾性的に嵌め込まれて保持されている。
【００４７】
冷却ファン７２は、主として電動モータ２０の起動時に動作してグリップ部５０の内部及びその周辺に風を吹き付ける。第２実施形態では、冷却ファン７２はスイッチ５２に向けられている。この冷却ファン７２によりスイッチ５２の冷却がなされる。冷却ファン７２の起動、停止等の動作状態はコントローラ６２により適切に制御される。第２実施形態では、冷却ファン７２は、モータ冷却用の冷却ファン２８（第１冷却ファン）とは独立して動作させることができる。このため、電動モータ２０の停止状態において、当該冷却ファン７２を単独で動作させてグリップ部５０の内部の冷却を行うことができる。逆に、電動モータ２０の起動時には冷却ファン７２を停止させて消費電力の節約を図ることができる。
【００４８】
以上のように構成した第２実施形態の電動工具２によれば、グリップ部５０内部の空きスペースＳに電材部品７０として冷却ファン７２が収容されて、当該空きスペースＳが有効に活用されている。この冷却ファン７２により、グリップ部５０内部及びその周辺（特に、スイッチ５２及びコントローラ６２）が冷却されて当該電動工具２の操作性や作業性等の機能を高めることができる。グリップ部５０内に温度センサを配置し、この温度センサにより検知される当該グリップ部５０内の温度変化に基づいて、冷却ファン７２を起動、停止させ、あるいは回転数を変更する構成としてもよい。
【００４９】
図７〜図９には、第３実施形態の電動工具３が示されている。第３実施形態の電動工具３は、グリップ部５０の空きスペースＳに収容した電材部品７０が発信器７３である点で第１、第２実施形態とは異なっている。第３実施形態では、発信器７３としてＧＰＳ(Global Positioning System:全地球測位システム)が用いられている。この発信器７３は、工具本体部１０の動作状態とは独立して動作させることができる。発信器７３は、グリップ部ハウジング５５の内面に一体に設けた保持部５５ｃに弾性的に嵌め込まれて保持されている。発信器７３の動作状態はコントローラ６２により適切に制御される。
【００５０】
第３実施形態の電動工具３によれば、グリップ部５０内部の空きスペースＳに電材部品７０として発信器７３が収容されて、当該空きスペースＳが有効に活用されている。発信器７３により当該電動工具３の位置を容易に特定することができる。これにより当該電動工具３の盗難を未然に防止することができ、盗難後に当該電動工具３を容易に発見することができる。電動工具３に盗難防止機能（付随的機能）が付与されることにより、当該電動工具３の機能を一層高めることができる。
【００５１】
図１０〜図１２には、第４実施形態の電動工具４が示されている。第４実施形態の電動工具４は、グリップ部５０の空きスペースＳに収容した電材部品７０がＩＣタグ７４である点で第１〜第３実施形態とは異なっている。ＩＣタグ７４は、ＩＣチップとアンテナを樹脂で被覆した電子情報記憶デバイスで、ＩＣチップには当該電動工具４の仕様、使用履歴、修理履歴等の固体情報に加えて、使用者の個人情報等の各種の情報が記憶されている。記憶した電子情報は、専用の読み取り器（リーダー／ライター）で読み取ることができ、また書き換えることができる。ＩＣタグ７４は、グリップ部ハウジング５５の内面に一体に設けた保持部５５ｄに弾性的に嵌め込まれて保持されている。
【００５２】
第４実施形態の電動工具４によれば、グリップ部５０内部の空きスペースＳに電材部品７０としてＩＣタグ７４が収容されて、当該空きスペースＳが有効に活用されている。このＩＣタグ７４に修理履歴等の固体情報が記憶されることにより、当該電動工具４のメンテナンス性（付随的機能）を高めることができ、ひいてはその操作性及び作業性を高められる点で当該電動工具４の高機能化を図ることができる。
【００５３】
以上説明した第１〜第４実施形態では、グリップ部５０内部の空きスペースＳを有効活用する観点から、各種の電材部品７０をグリップ部５０の空きスペースＳに収容した構成を例示したが、これら各種の付随的機能を有する電材部品７０を配置し得る部位はグリップ部５０の内部以外にも存在する。例えば、振動発生器７１、発信器７３、ＩＣタグ７４を工具本体部１０の内部若しくは外面に取り付けることにより、それぞれ同様の付随的機能を発揮させることができる。
【００５４】
また、以上説明した各実施形態では、バッテリパック６１を電源とする充電式の電動工具１〜４に、同じくバッテリパック６１を電源とする電材部品７０を収容した構成を例示したが、商用１００Ｖの交流電源を電源とする電動工具についても、グリップ部内の空きスペースに例示した付随的機能を装備することにより同様の作用効果を得ることができる。その際は、付随的機能を装備する電材部品７０の電源として、ＡＣ電源を利用することができる。
【００５５】
さらに、付随的機能の電源として、工具本体部１０側の電源（バッテリパック６１、ＡＣ電源）とは別の専用電源、例えばボタン電池等を用いる構成としてもよい。
【符号の説明】
【００５６】
１…電動工具（第１実施形態）
２…電動工具（第２実施形態）
３…電動工具（第３実施形態）
４…電動工具（第４実施形態）
Ｈ…全体ハウジング、ｈ…弾性樹脂層（エラストマ樹脂層）
１０…工具本体部
１１…本体部ハウジング
１２…インパクトケース
１３…後部ケース
１４…照明具、１４ａ…透明カバー
２０…電動モータ
２１…固定子
２２…回転子
２３…センサ基板
２４…モータ軸
２５…軸受（前側）
２６…軸受（後ろ側）
２７…中間区画壁
２８…冷却ファン
３０…遊星歯車機構
３１…駆動軸
３２…回転打撃機構
３２ａ…ハンマー、３２ｂ…圧縮ばね、３２ｃ…鋼球
３３…アンビル
３４…軸受
３５…工具保持部
３６…出力軸
４０…先端工具
４１…ねじ（半割りハウジング結合用）
５０…グリップ部
５１…スイッチレバー
５２…スイッチ
５５…グリップ部ハウジング
Ｓ…空きスペース
６０…電源部
６１…バッテリパック
６２…コントローラ
６２ａ…制御基板、６２ｂ…ケース、６２ｃ…コンデンサ
６３…表示部
６４…ハンドストラップ
６５…電源部ハウジング
７０…電材部品
７１…振動発生器（第１実施形態）
７１ａ…重り、７１ｂ…駆動モータ
７２…冷却ファン（第２実施形態）
７２ａ…駆動モータ
７３…発信器（第３実施形態）
７４…ＩＣタグ
【図１】
2017159431.tif 000003
【図２】
2017159431.tif 000004
【図３】
2017159431.tif 000005
【図４】
2017159431.tif 000006
【図５】
2017159431.tif 000007
【図６】
2017159431.tif 000008
【図７】
2017159431.tif 000009
【図８】
2017159431.tif 000010
【図９】
2017159431.tif 000011
【図１０】
2017159431.tif 000012
【図１１】
2017159431.tif 000013
【図１２】
2017159431.tif 000014